(57)【要約】【課題】  ケースを閉止した状態でディスクの収容を容易に行えるようにする。【解決手段】  厚み方向の一側に位置する背板片２と、表裏方向に位置するケース片１０、３とに三分割し、背板片に対して表裏のケース片をヒンジ２Ａ、２Ｂにより擺動自在に連結することにより開放時に見開き状となるように構成したケース本体１と、背板片に対して突設してディスクＤを直径方向に掴持するホルダー部材２０からなり、上記ホルダー部材は円弧状の内周面にディスクの周縁が嵌入される溝２３を配することにより円弧の開口側から挿入されたディスクを内周面により掴持する構成とし、ケースの閉止時にホルダー部材の円弧の開口側が向くケース片の厚み方向に位置する正面壁に、ディスクが上記開口側に向かって進入可能な窓部Ｗを設けると共に、被蓋しようとする附勢力に抗してディスクの押圧によりホルダー部材側に押し開き可能な閉止部材により上記窓部を被蓋する。【選択図】      図１
2005071511.tif 000002
【特許請求の範囲】
【請求項１】
内部にディスクを収容する空間を設けた偏平形状の筐体を、厚み方向の一側に位置する背板片と、表裏方向に位置するケース片とに三分割し、背板片に対して表裏のケース片をヒンジにより擺動自在に連結することにより開放時に見開き状となるように構成したケース本体と、背板片に対して突設してディスクを直径方向に掴持するホルダー部材からなり、上記ホルダー部材は円弧状の内周面にディスクの周縁が嵌入される溝を配することにより円弧の開口側から挿入されたディスクを内周面により掴持する構成とし、ケースの閉止時にホルダー部材の円弧の開口側が向くケース片の厚み方向に位置する正面壁に、ディスクが上記開口側に向かって進入可能な窓部を設けると共に、被蓋しようとする附勢力に抗してディスクの押圧によりホルダー部材側に押し開き可能な閉止部材により上記窓部を被蓋したことを特徴とする記録媒体用ディスク収納ケース。
【請求項２】
開口側が狭窄された円弧状のアームによりホルダー部材を構成すると共に、開口側から挿入されるディスクがアームの狭窄箇所を押し広げながらアーム内周に嵌入可能なように上記ホルダー部材を弾性を有する素材により構成した請求項１記載の記録媒体用ディスク収納ケース。
【請求項３】
ケースの開放時に表裏のケース片の擺動方向に揺動可能にホルダー部材を背板片に枢設すると共に、上記揺動範囲をホルダー部材が表裏のケース片に重ならない範囲内に規制する請求項１又は２記載の記録媒体用ディスク収納ケース。
【発明の詳細な説明】
【技術分野】
【０００１】
この発明はＣＤやＤＶＤ等の記録媒体用のディスク（以下、「ディスク」と略称する。）を収容する開閉式のケースに関する。
【背景技術】
【０００２】
映像や音楽、それにコンピュータプログラム等の記録媒体としてＣＤやＤＶＤ等のディスクが普及している。これらは、光学記録方式を採用しているために記録面を保護する必要があり、封筒状の収納ジャケットや収納ケースが不可欠となる。
【０００３】
このうち、後者の収納ケースは、蓋体を枢設した上面開放の偏平状のケース内に弾性力に抗して直径方向に縮径可能な係合突体を突設し、ディスクのセンターホールにこの係合突体を圧入することよりケース内にディスクを固定している。
【０００４】
一方、前記のような係合突体を使用しないでディスクを収納ケース内に固定する発明も提案されており、下記の特許文献１においてはディスクが載置される保持体（同文献図中符号７）上にディスクの外周に沿って複数の係止片（同文献図中符号１０）を突設し、これらの係止片と保持体間にディスクを挿入している。又、下記の非特許文献１においては開口側が狭窄された円弧状のアームからなるホルダーによりディスクを直径方向に掴持している。
【特許文献１】特開２００１−１８０７８０号公報
【非特許文献１】登録第１１８０６６０号意匠公報
【発明の開示】
【発明が解決しようとする課題】
【０００５】
以上の従来技術のうち、ディスクのセンターホールに係合突体を圧入するものは、本来再生装置のスピンドルに装着するためのセンターホールをケースへの固定用に使用していることから、ケースへの着脱を繰り返しているうちにセンターホールに損傷を生じて再生に影響を与えるおそれがあった。又、ディスクのケースからの取り出しに際しては係合突体への圧入力に抗してディスク端を引っ張り上げるので、その度にディスクが撓む問題があった。
【０００６】
一方、特許文献１及び非特許文献１に記載の発明においては、前記の問題点は解消されている。しかしながら、特許文献１に記載の発明においてはディスクは係止片と保持体間に挿入することにより保持されるので、その抜け止めのための可動機構（同文献図中符号６）を要し、構造が複雑化する問題があった。又、非特許文献１に記載の発明においては、狭窄された円弧状のアームに狭窄された開口側からディスクを挿入してアームに掴持させる操作が難しいという問題があった。更に、どちらの発明もディスクのケースへの収容作業はケースを開放した状態でなければできないという不便さがあった。
【課題を解決するための手段】
【０００７】
この発明は以上の従来技術の問題点を解消した収容ケースを提供することを目的として創作されたものである。
【０００８】
即ち、この発明の記録媒体用ディスク収納ケースは、内部にディスクを収容する空間を設けた偏平形状の筐体を、厚み方向の一側に位置する背板片と、表裏方向に位置するケース片とに三分割し、背板片に対して表裏のケース片をヒンジにより擺動自在に連結することにより開放時に見開き状となるように構成したケース本体と、背板片に対して突設してディスクを直径方向に掴持するホルダー部材からなり、
上記ホルダー部材は円弧状の内周面にディスクの周縁が嵌入される溝を配することにより円弧の開口側から挿入されたディスクを内周面により掴持する構成とし、
ケースの閉止時にホルダー部材の円弧の開口側が向くケース片の厚み方向に位置する正面壁に、ディスクが上記開口側に向かって進入可能な窓部を設けると共に、被蓋しようとする附勢力に抗してディスクの押圧によりホルダー部材側に押し開き可能な閉止部材により上記窓部を被蓋したこと、
〜を特徴とする。
【発明の効果】
【０００９】
この発明においては、閉止した収容ケースの正面壁に設けた窓部からディスクをケース内に挿入することにより、対向する背板片に突設されたホルダー部材の円弧の開口側からディスクがホルダー内に進入して掴持される効果を奏することとなる。そして、この場合、ケースの窓部にディスクが摺接することによりディスクの挿入位置が規制されるので、誰でも確実にケース内部のホルダー部材にディスクを挿入することができ、しかも、この作業はケースを閉止したまま行うことができるので、使い勝手のよい収容ケースが実現される。
【００１０】
一方、ディスクの取り出しにあたっては、ケースを見開き状に開放することにより、背板片に突設したホルダー部材は起立することとなり、容易にディスクを摘んで引き出すことが可能となる。
【００１１】
又、ケースの窓部は閉止部材により被蓋されるので、閉止したケース内に埃や異物が侵入することが防止され、一方、窓部に挿入するディスクは被蓋しようとする附勢力に抗して上記蓋部をホルダー部材側に押し開くので、使用者は挿入にあたり適度の手応えからなる確実な操作感を感じることが可能となる。
【発明を実施するための最良の形態】
【００１２】
以下、この発明の具体的実施例を添付図面に基づいて説明する。図１はこの発明の収容ケースを開放した状態を示す図、図４は収容ケースを閉止した状態を示す図、図５乃至図８は閉止した状態の収容ケースの内部を示すために表側ケース片を省略して表した図である。
【００１３】
図中符号１はケース本体を指し、このケース本体１は内部にディスクを収容する空間を設けた偏平形状の筐体（ここでは矩形のものを例示している）を、厚み方向の一側に位置する背板片２と、表方向に位置するケース片１０と、裏方向に位置するケース片３とに三分割し、背板片に対して表裏のケース片をヒンジ２Ｂ、２Ａにより擺動自在に連結することにより開放時に見開き状となるように構成される。このケース本体１はここでは柔軟性を有するプラスチックにより一体成形しており、表裏のケース片１０及び３と背板片２との境目を一線状の薄肉部とすることによりヒンジ２Ｂ、２Ａとしている。又、表裏のケース片１０及び３は背板片２側以外の三方の縁を壁状に立ち上げることによりケース状に構成されるものであり、そのうちの正面壁には後記する窓部を構成する切り欠き１１及び４が配される。尚、ここでは裏側のケース片３の三方の壁の上端に内側に変位して壁状の挿入部３Ａを突設すると共に、表側のケース片１０の三方の壁の上端内側にケース本体の閉止時に上記の挿入部３Ａが挿入される凹部１０Ａを設けることにより、ケース本体の閉止時に表裏のケース片同士が互いの挿入部及び凹部箇所において嵌合するようにしている。尚、図示しないが、それに加えてケース本体の閉止時に表裏のケース片同士を係止する手段を設けてもよいことは勿論である。
【００１４】
図中符号２０はディスクＤを直径方向に掴持するためのホルダー部材である。このホルダー部材２０は円弧状の内周面にディスクＤの周縁が嵌入される溝２３を配することにより円弧の開口側から挿入されたディスクを内周面により掴持する作用を有するものであり、この実施例では開口側が狭窄された円弧状、即ちＣ字状のアーム２１によりホルダー部材を構成すると共に、開口側から挿入されるディスクＤがアームの狭窄箇所を押し広げながらアーム内周に嵌入可能なように（図７参照）ホルダー部材を弾性を有するプラスチックにより構成している。上記のホルダー部材２０はケース本体１の背板片２に突設されるが、この実施例ではホルダー部材の底部の両側から突設した枢軸１３、１３を背板片から突設した軸受け２２、２２に軸着することにより、ケースの開放時にホルダー部材が表裏のケース片の擺動方向に揺動可能としている。この場合、ディスクＤの取り出しにあたってはホルダー部材２０は起立していないと使い勝手が悪いので、上記の揺動範囲をホルダー部材が表裏のケース片に重ならない範囲内に規制するよう、当接によりホルダー部材の一定限度以上の揺動を阻止するためのスットパー部材１４、１４を背板片２から突設している（特に図２参照）。
【００１５】
図４において、図中符号Ｗはケース本体１の閉止時にディスクＤが前記のホルダー部材２０の円弧の開口側に向かって進入可能なように表裏のケース片１０及び３の正面壁に開口される窓部であり、前記したように表側のケース片１０の正面壁に設けた切り欠き１１と裏側のケース片３の正面壁に設けた切り欠き４により構成される。図中符号５は上記の窓部Ｗの裏側に配される閉止部材である。この閉止部材５は窓部Ｗを被蓋する形状を有し、両側から突設した枢軸６、６を裏側のケース片３から突設した軸受け８、８に軸着することにより、窓部Ｗの開閉方向に揺動自在としている。この場合、閉止部材５を窓部Ｗの被蓋方向に附勢するためにねじりコイルバネ７を枢軸６に巻装する（図３参照）。
【００１６】
以上の構成からなる記録媒体用ディスク収納ケースの使用法は次の通りである。
(1) ケースが閉止した状態でディスクＤをケース本体正面の窓部Ｗからケース本体内に挿入する（図４及び図５参照）。
(2) 挿入に従い、ディスクＤ端により窓部Ｗを被蓋していた閉止部材５が押し倒される（図６参照）。尚、この実施例においては窓部Ｗを通過したディスクが上下に移動しないように表裏のケース片１０、３のそれぞれに摺動レール１２、９を突設している。
(3) 更に、ディスクＤを挿入することにより、ディスクがホルダー部材２０のアームの狭窄箇所を押し広げながらアーム内周に嵌入される（図７参照）。
(4) 嵌入が完了した後は、アームの狭窄箇所によりホルダー部材２０の開口方向へのディスクＤの離脱は防止される（図８参照）。
(5) ケース本体１を見開き状に開放することにより、ディスクを掴持したホルダー部材２０がケース本体１の背板片２上に起立するので、この状態でディスクＤをホルダー部材から引き抜く。この場合、ホルダー部材は前後に揺動可能なので引き抜きやすい位置に傾けることが可能である。
【図面の簡単な説明】
【００１７】
【図１】この発明の記録媒体用ディスク収納ケースの開放時の斜視図。
【図２】図１のＡ−Ａ線矢視図。
【図３】閉止部材の分解斜視図。
【図４】この発明の記録媒体用ディスク収納ケースの閉止時の斜視図。
【図５】同上、一部切り欠き斜視図。
【図６】同上、一部切り欠き斜視図。
【図７】同上、一部切り欠き斜視図。
【図８】同上、一部切り欠き斜視図。
【符号の説明】
【００１８】
Ｄ        ディスク
Ｗ        窓部
１        ケース本体
２        背板片
２Ａ      ヒンジ
２Ｂ      ヒンジ
３        裏側ケース片
４        閉止部材
１０      表側ケース片
２０      ホルダー部材
２３      溝
【図１】
2005071511.tif 000003
【図２】
2005071511.tif 000004
【図３】
2005071511.tif 000005
【図４】
2005071511.tif 000006
【図５】
2005071511.tif 000007
【図６】
2005071511.tif 000008
【図７】
2005071511.tif 000009
【図８】
2005071511.tif 000010